(57)【要約】【課題】検出手段を設けることなく光源の発光に異常状態が発生していることを判別する。【解決手段】ＣＩＳセンサユニット８８による画像読取時の主走査毎に、原稿Ｍの最大読取幅の範囲外で、白色基準板１１６からの反射光を読み取った画像情報ＤＲと、予め記憶しておいた初期設定時に白色基準板１１６からの反射光を読み取った基準画像情報ＤＤとの比率（｛ＤＲ／ＤＤ｝×１００％）に基づき、電流設定値が誤信号によって変更されたか否か可能性を判断する。設定電流値は、誤信号によって８通りの電流値に変動することがある。比率の演算結果が、主走査毎に本来の比率にならず、かつ何れかの比率範囲に該当した場合は、誤信号によって電流値が変動したと判断して、次の主走査までの間に、組み合わせ設定のための各色の点灯制御信号を送出するとともに、真の電流値設定信号を送信する。【選択図】図１０
2017034585.tif 000002
【特許請求の範囲】
【請求項１】
受光素子で原稿画像を読み取るときの光源である発光素子の発光量の初期値を設定する設定制御手段と、
前記原稿画像の読取中に実行され、前記原稿画像の読取範囲外の領域で読み取った色基準画像の読取情報に基づいて、前記初期値が変更されたか否かを判断する判断手段と、
を有する発光量制御装置。
【請求項２】
前記判断手段で、前記初期値が変更されたと判断された場合に、前記原稿画像の読み取りを継続しつつ、発光素子の発光量の再設定を指示する指示手段をさらに有する請求項１記載の発光量制御装置。
【請求項３】
原稿に向けて発光する発光素子及び前記原稿からの反射光を受光する受光素子を備えたセンサ部を用い、走査することで原稿画像を読み取る読取制御手段と、
前記発光素子の発光量を初期設定する設定制御手段と、
前記読取制御手段による原稿画像の読取制御と共に実行され、前記走査の範囲内であり、かつ前記原稿画像の読取範囲外の領域で読み取った色画像の読取情報に基づいて、前記設定制御手段で初期設定された発光素子の発光量が変更されたか否かを判断する判断手段と、
前記判断手段で、前記初期設定された発光素子の発光量が変更されたと判断された場合に、前記読取制御手段による原稿画像の読取制御を継続しつつ、前記設定制御手段に対して発光素子の発光量の再設定を指示する指示手段と、
を有する発光量制御装置。
【請求項４】
前記センサ部が、最大原稿幅よりも大きい検出幅を持つラインセンサであり、当該ラインセンサは、それぞれ三原色の１つとしてそれぞれ個別又は同時発光可能な複数ラインの発光素子を備えており、
前記設定制御手段は、
前記発光素子をオン又はオフを制御し、複数の発光制御信号のオンオフの論理状態に基づいて、当該発光素子の発光量を設定する請求項３記載の発光量制御装置。
【請求項５】
前記判断手段が、
前記設定制御手段での初期設定時に前記最大原稿幅の領域外で読み取った色基準画像の第１の読取情報と、前記読取制御手段における原稿画像読取走査中に前記最大原稿幅の領域外で読み取った前記色基準画像の第２の読取情報とを比較して、前記発光素子の発光量が変更されたか否かを判断する請求項４記載の発光量制御装置。
【請求項６】
前記判断手段が、
前記第１の読取情報に対する前記第２の読取情報の比率が、想定し得る前記発光制御信号の論理状態の組み合わせから演算される比率候補に該当するか否かを判断する請求項５記載の発光量制御装置。
【請求項７】
前記読取制御手段による原稿画像の読み取りが、カラー画像の読み取りの場合と、白黒画像の読み取りの場合とで、前記比率候補を絞り込む請求項６記載の発光量制御装置。
【請求項８】
カラー画像の読み取りの場合は、前記判断手段による判断結果が前記発光素子の発光量が変更されたと判断されたとき、三原色の各色間の比率の一致状態を判別し、予期せぬ特定信号の出力か、発光素子自体の不具合かと区別する請求項６又は請求項７記載の発光量制御装置。
【請求項９】
白黒画像の読み取りの場合は、前記判断手段による判断結果が前記発光素子の発光量が変更されたと判断されたとき、複数回の読取結果間の比率の一致状態を判別し、予期せぬ特定信号の出力か、発光素子自体の不具合かと区別する請求項６又は請求項７記載の発光量制御装置。
【請求項１０】
センサ部が、少なくとも、発光素子、受光素子及び発光素子を発光させる駆動ＩＣ基板が一体化された密着型センサであり、駆動ＩＣが静電気を帯びることで予期せぬ特定信号が出力される場合がある請求項１〜請求項９の何れか１項記載の発光量制御装置。
【請求項１１】
前記請求項１〜請求項１０の何れか１項記載の発光量制御装置を備えた画像読取装置。
【請求項１２】
コンピュータに、
受光素子で原稿画像を読み取るときの光源である発光素子の発光量の初期値を設定し、
前記原稿画像の読取中に実行され、前記原稿画像の読取範囲外の領域で読み取った色基準画像の読取情報に基づいて、前記初期値が変更されたか否かを判断する、
ことを実行させる発光量制御プログラム。
【請求項１３】
コンピュータに、
原稿に向けて発光する発光素子及び前記原稿からの反射光を受光する受光素子を備えたセンサ部を用いて、前記原稿を走査することで原稿画像を読み取る読取制御前に実行され、予め定めた特定信号の出力時期に基づき、前記発光素子の発光量を初期設定し、
前記原稿画像の読取制御中に実行され、前記走査の範囲内であり、かつ前記原稿画像の読取範囲外の領域で読み取った色基準画像の読取情報に基づいて、前記初期設定された発光素子の発光量が変更されたか否かを判断し、
前記発光素子の発光量が変更されたと判断された場合に、原稿画像の読取制御を継続しつつ、発光素子の発光量の再設定を指示する、
ことを実行させる発光量制御プログラム。
【発明の詳細な説明】
【技術分野】
【０００１】
本発明は、発光量制御装置、画像読取装置、発光量制御プログラムに関する。
【背景技術】
【０００２】
画像読取装置では、読取原稿に向けて光源としての発光素子を発光させ、その反射光を受光素子で受光する。
【０００３】
画像読取中に、光源を正常に発光させることができない異常状態が発生すると、読取結果に濃度むらが発生する。
【０００４】
特許文献１には、光源の駆動電流の検知部を設け、ライン毎に異常電流を検出することが記載されている。この特許文献１では、検知部が必須の構成要件となる。
【先行技術文献】
【特許文献】
【０００５】
【特許文献１】特開２０１２−２０９７１３号公報
【発明の概要】
【発明が解決しようとする課題】
【０００６】
検知部があれば、駆動電流の異常の検知は可能であるが、異常検知後の対策が確立されていない。
【０００７】
本発明は、検出手段を設けることなく光源の発光に異常状態が発生していることを判別することができる発光量制御装置、画像読取装置、発光量制御プログラムを提供することを目的とする。
【課題を解決するための手段】
【０００８】
請求項１に記載の発明は、受光素子で原稿画像を読み取るときの光源である発光素子の発光量の初期値を設定する設定制御手段と、前記原稿画像の読取中に実行され、前記原稿画像の読取範囲外の領域で読み取った色基準画像の読取情報に基づいて、前記初期値が変更されたか否かを判断する判断手段と、を有している。
【０００９】
請求項２に記載の発明は、前記請求項１に記載の発明において、前記判断手段で、前記初期値が変更されたと判断された場合に、前記原稿画像の読み取りを継続しつつ、発光素子の発光量の再設定を指示する指示手段をさらに有する。
【００１０】
請求項３に記載の発明は、原稿に向けて発光する発光素子及び前記原稿からの反射光を受光する受光素子を備えたセンサ部を用い、走査することで原稿画像を読み取る読取制御手段と、前記読取制御手段による原稿画像の読取制御とは異なる制御として実行され、予め定めた特定信号の出力時期に基づき、前記発光素子の発光量を初期設定する設定制御手段と、前記読取制御手段による原稿画像の読取制御と共に実行され、前記走査の範囲内であり、かつ前記原稿画像の読取範囲外の領域で読み取った色基準画像の読取情報に基づいて、前記設定制御手段で初期設定された発光素子の発光量が変更されたか否かを判断する判断手段と、前記判断手段で、前記初期設定された発光素子の発光量が変更されたと判断された場合に、前記読取制御手段による原稿画像の読取制御を継続しつつ、前記設定制御手段に対して発光素子の発光量の再設定を指示する指示手段と、
を有している。
【００１１】
請求項４に記載の発明は、前記請求項３に記載の発明において、前記センサ部が、最大原稿幅よりも大きい検出幅を持つラインセンサであり、当該ラインセンサは、それぞれ三原色の１つとしてそれぞれ個別又は同時発光可能な複数ラインの発光素子を備えており、
前記設定制御手段は、前記特定信号の出力時期の前記発光素子をオン又はオフに制御する発光制御信号の論理状態に基づいて、当該発光素子の発光量を設定する。
【００１２】
請求項５に記載の発明は、前記請求項４に記載の発明において、前記判断手段が、前記設定制御手段での初期設定時に前記最大原稿幅の領域外で読み取った色基準画像の第１の読取情報と、前記読取制御手段における原稿画像読取走査中に前記最大原稿幅の領域外で読み取った前記色基準画像の第２の読取情報とを比較して、前記発光素子の発光量が変更されたか否かを判断する。
【００１３】
請求項６に記載の発明は、前記請求項５に記載の発明において、前記判断手段が、前記第１の読取情報に対する前記第２の読取情報の比率が、想定し得る前記発光制御信号の論理状態の組み合わせから演算される比率候補に該当するか否かを判断する。
【００１４】
請求項７に記載の発明は、前記請求項６に記載の発明において、前記読取制御手段による原稿画像の読み取りが、カラー画像の読み取りの場合と、白黒画像の読み取りの場合とで、前記比率候補を絞り込む。
【００１５】
請求項８に記載の発明は、前記請求項６又は請求項７に記載の発明において、カラー画像の読み取りの場合は、前記判断手段による判断結果が前記発光素子の発光量が変更されたと判断されたとき、三原色の各色間の比率の一致状態を判別し、予期せぬ特定信号の出力か、発光素子自体の不具合かと区別する。
【００１６】
請求項９に記載の発明は、前記請求項６又は請求項７に記載の発明において、白黒画像の読み取りの場合は、前記判断手段による判断結果が前記発光素子の発光量が変更されたと判断されたとき、複数回の読取結果間の比率の一致状態を判別し、予期せぬ特定信号の出力か、発光素子自体の不具合かと区別する。
【００１７】
請求項１０に記載の発明は、前記請求項１〜請求項９の何れか１項記載の発明において、センサ部が、少なくとも、発光素子、受光素子及び発光素子を発光させる駆動ＩＣ基板が一体化された密着型センサであり、駆動ＩＣが静電気を帯びることで予期せぬ特定信号が出力される場合がある。
【００１８】
請求項１１に記載の発明は、前記請求項１〜請求項１０の何れか１項記載の発光量制御装置を備えた画像読取装置である。
【００１９】
請求項１２に記載の発明は、コンピュータに、受光素子で原稿画像を読み取るときの光源である発光素子の発光量の初期値を設定し、前記原稿画像の読取中に実行され、前記原稿画像の読取範囲外の領域で読み取った色基準画像の読取情報に基づいて、前記初期値が変更されたか否かを判断する、
ことを実行させる発光量制御プログラムである。
【００２０】
請求項１３に記載の発明は、コンピュータに、原稿に向けて発光する発光素子及び前記原稿からの反射光を受光する受光素子を備えたセンサ部を用いて、前記原稿を走査することで原稿画像を読み取る読取制御前に実行され、予め定めた特定信号の出力時期に基づき、前記発光素子の発光量を初期設定し、前記原稿画像の読取制御中に実行され、前記走査の範囲内であり、かつ前記原稿画像の読取範囲外の領域で読み取った色基準画像の読取情報に基づいて、前記初期設定された発光素子の発光量が変更されたか否かを判断し、前記発光素子の発光量が変更されたと判断された場合に、原稿画像の読取制御を継続しつつ、発光素子の発光量の再設定を指示する、ことを実行させる発光量制御プログラムである。
【発明の効果】
【００２１】
請求項１に記載の発明によれば、検出手段を設けることなく光源の発光に異常状態が発生していることを判別することができる。
【００２２】
請求項２に記載の発明によれば、画像読取を継続しつつ画像の読取画質への影響を軽減することができる。
【００２３】
請求項３に記載の発明によれば、検出手段を設けることなく光源の発光に異常状態が発生していることを判別することができる。
【００２４】
請求項４に記載の発明によれば、発光量を設定することができる。
【００２５】
請求項５に記載の発明によれば、原稿を読みとるのと同じ領域の発光素子を利用する場合に比較して、読み取りとほぼ同じタイミングで発光素子の発光量が変更されたか否かを判断することができる。
【００２６】
請求項６に記載の発明によれば、全領域を候補とする場合に比較して、候補を速やかに確認することができる。
【００２７】
請求項７に記載の発明によれば、カラー画像の読み取り及び白黒画像の読み取りの場合で、それぞれ比率候補を絞り込むことができる。
【００２８】
請求項８に記載の発明によれば、三原色の各色間の比率の一致状態を判別しない場合に比べて、判別精度を向上することができる。
【００２９】
請求項９に記載の発明によれば、複数回の読取結果間の比率の一致状態を判別しない場合に比べて、判別精度を向上することができる。
【００３０】
請求項１０に記載の発明によれば、初期設定した発光素子の発光量の静電気等による設定誤動作を回避することができる。
【００３１】
請求項１１に記載の発明によれば、検出手段を設けることなく光源の発光に異常状態が発生していることを判別することができる。
【００３２】
請求項１２に記載の発明によれば、検出手段を設けることなく光源の発光に異常状態が発生していることを判別することができる。
【００３３】
請求項１３に記載の発明によれば、検出手段を設けることなく光源の発光に異常状態が発生していることを判別することができる。
【図面の簡単な説明】
【００３４】
【図１】本実施の形態に係る画像処理装置の概略図である。
【図２】（Ａ）は本実施の形態に係る画像読取部の構成の一例を示す概略断面図、（Ｂ）は読取領域の拡大図である。
【図３】本実施の形態に係る画像読取部の信号処理での画像処理制御のための機能ブロック図である。
【図４】ＣＩＳセンサユニットと白色基準板との重なり具合を示す平面図である。
【図５】画像読取制御部及び走査制御部により、ＣＩＳセンサユニットを制御するための制御ブロックである。
【図６】（Ａ）は電流値設定信号の出力時期を示すタイミングチャート、（Ｂ）は電流値設定信号の出力時期と点灯制御信号の組み合わせの関係を示す図表である。
【図７】本実施の形態に係り、（Ａ）はカラー画像読取時の点灯制御信号の出力状態を示すタイミングチャート（Ｂ）は、誤信号発生時の画像読取濃度の変化状態を原稿上で顕現化した平面図である（カラー画像読取時の実施例に流用）。
【図８】画像読取制御部で設定し得る設定電流値と、電流値設定部で変動し得る読取電流値との関係を示す図表（比率表）である。
【図９】本実施の形態に係る画像読取制御ルーチンを示すフローチャートである。
【図１０】図９のステップ２６４における画像読取制御時に、主走査毎に割り込まれて実行される、電流設定値正誤判別ルーチンを示す制御フローチャートである。
【図１１】本実施の形態の実施例に係り、カラー画像の読取時の電流設定値と、カラー画像の読取中に電流値設定信号に偽情報が重畳した際に発生し得る電流設定値の各比率を中心に上下ばらつき（±５％）を加味した範囲を示す図表である。
【図１２】本実施の形態の実施例に係り、（Ａ）は白黒画像読取時の点灯制御信号の出力状態を示すタイミングチャート（Ｂ）は、誤信号発生時の画像読取濃度の変化状態を原稿上で顕現化した平面図である。
【図１３】本実施の形態の実施例に係り、白黒画像の読取時の電流設定値と、白黒画像の読取中に電流値設定信号に偽情報が重畳した際に発生し得る電流設定値の各比率を中心に上下ばらつき（±５％）を加味した範囲を示す図表である。
【発明を実施するための形態】
【００３５】
図１には、本実施の形態に係る画像処理装置１０が示されている。
【００３６】
画像処理装置１０は、記録用紙に画像を形成する画像形成部１２と、原稿画像を読み取る画像読取部１４と、ファクシミリ通信制御回路１６を備えている。
【００３７】
画像処理装置１０は、メインコントローラ１８を備えており、画像形成部１２、画像読取部１４、ファクシミリ通信制御回路１６を制御して、例えば、画像読取部１４で読み取った原稿画像の画像データを一時的に記憶したり、読み取った画像データを画像形成部１２又はファクシミリ通信制御回路１６へ送出したりする。なお、画像読取部１４は上部筐体１０Ａに覆われ、画像形成部１２，ファクシミリ通信制御回路１６、メインコントローラ１８は下部筐体１０Ｂに覆われている。下部筐体１０Ｂのさらに下部は記録用紙を収容する複数段のトレイユニット２４が設けられている。
【００３８】
また、前記画像読取部１４を被覆する上部筐体１０Ａの上面かつ前方には、画像読取処理、複写処理、画像形成処理、送受信処理を含む処理動作（サービス）項目を指示したり、それぞれの処理動作の詳細設定を指示すると共に、画像処理装置１０の状態を表示するためのユーザーインターフェイス２６（以下、「ＵＩ２６」という場合がある。）が配置されている。ＵＩ２６には、表示画面に操作者の指等を接触することで指示可能なタッチパネル部２８と、機械的動作（例えば、押圧操作）で指示可能な複数のハードキー（図示省略）が設けられたハードキー配列部３０とが設けられている。
【００３９】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００４０】
本実施の形態では、上記画像形成部１２、画像読取部１４、ファクシミリ通信制御回路１６を用いて、スキャン、複写、プリント、ファクシミリ送信、ファクシミリ受信、受信後のプリントを含むサービス（処理形態）が実行可能である。
【００４１】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００４２】
図２（Ａ）に示される如く、画像読取部１４を収容する上部筐体１０Ａの上面には、自動原稿送り装置５０が設けられている。
【００４３】
また、上部筐体１０Ａの上面、すなわち、自動原稿送り装置５０に対向する面には、画像を読み取る原稿が置かれる読取ガラス７０が設けられている。
【００４４】
自動原稿送り装置５０は、原稿Ｍが置かれる原稿台６０と、画像を読み取った後の原稿Ｍが排出される排出台６２と、を有する。
【００４５】
原稿台６０から排出台６２までの原稿搬送路６１は、その一部が円弧状に形成されることで原稿Ｍを反転させる機能を有している。
【００４６】
原稿搬送路６１の最上流側には、用紙送出部６３が設けられている。用紙送出部６３は、原稿台６０に置かれた原稿Ｍを最上層から枚葉（ピックアップ）する。原稿搬送路６１は、複数のローラ対（送出ローラ対６４、位置合わせローラ対６６、アウトローラ対６８、排出ローラ対６９）によって形成される。なお、原稿搬送路６１の適宜位置には、原稿Ｍの搬送を案内する案内板６５が設けられている。
【００４７】
送出ローラ対６４は、用紙送出部６３から送られた原稿のうち最上部にある原稿Ｍを反転しながら内部に供給する。
【００４８】
位置合わせローラ対６６は、上流側から送られた原稿Ｍを、読み取りタイミングを調整し、読取ガラス７４の対峙領域（読取領域）を通過させる。
【００４９】
図２（Ｂ）は、この読取り領域における原稿搬送路６１の詳細を示したものである。
【００５０】
図２（Ｂ）に示される如く、読取ガラス７４に対して、原稿Ｍの搬送側の上流側では、原稿Ｍを読取ガラス側に案内する薄膜状の弾性フィルム１０９が配置されている。弾性フィルム１０９の下方には、読取ガラス７４の左端上面に、パッド１１１が支持されている。パッド１１１は、弾性フィルム１０９で下方に案内された原稿Ｍを図２（Ｂ）の右方に案内するように、例えば、剛性の高い案内板に比べて低摩擦材料で構成されている。パッド１１１で案内された原稿Ｍは、読取ガラス７４の上方を、所定の隙間をもって通過して、原稿Ｍのジャンプガイド板１１５で案内され、下流側のアウトローラ対６８で搬送される。
【００５１】
ジャンプガイド板１１５の原稿Ｍに対向する面は、白色の平坦面とされている(以下、「白色基準板１１６」という）。
【００５２】
読取ガラス７４の下部には、センサ部の一例である第１のＣＩＳ（Contact Image Sensor）ユニット８８Ａが待機しており、この第１のＣＩＳユニット８８Ａによって原稿Ｍの一面（図２（Ｂ）の下面であり、「表面」とする。）の画像が読み取られるようになっている。
【００５３】
なお、ＣＩＳセンサユニット８８Ａを「待機」としたのは、後述する走査制御部９２で、図２（Ａ）の左右方向に移動（走査）する場合があるためである。
【００５４】
一方、前記ジャンプガイド板１１５の白色基準板１１６に、原稿Ｍの搬送路を挟んで対面する位置には、センサ部の一例である第２のＣＩＳユニット８８Ｂが配置されており、この第２のＣＩＳセンサユニット８８Ｂによって原稿Ｍの他の一面（図２（Ｂ）の上面であり、「裏面」とする。）の画像が読み取られるようになっている。
【００５５】
図２（Ａ）に示される如く、アウトローラ対６８および排出ローラ対６９は、読み取った原稿Ｍを排出台６２へ排出する。
【００５６】
前記上部筐体１０Ａに収容された画像読取部１４は、第１のＣＩＳユニット８８Ａ、第１のＣＩＳユニット８８Ａ及び第２のＣＩＳユニット８８Ｂで読み取った画像情報信号を処理する画像読取制御部９０、並びに第１のＣＩＳユニット８８Ａの走査を制御する走査制御部９２を備えている。
【００５７】
図２（Ｂ）に示される如く、第１のＣＩＳユニット８８Ａは、図２（Ｂ）の奥行き方向を長手方向とする筐体８９に収容されており、図示しないレール機構部に沿って、読取ガラス７４の下方、並びに、読取ガラス７０の下方を移動可能となっている。
【００５８】
このとき、第１のＣＩＳユニット８８Ａは、読取ガラス７４の下方では、予め定めた位置に固定配置されており（図２（Ｂ）の実線位置参照）、前記原稿搬送路６１に沿って搬送されてくる原稿Ｍの表面に対して、順次対峙することになる。すなわち、自動原稿送り装置５０から送られる原稿Ｍに対する副走査となる（以下、「自動読取副走査」という）。なお、この第１のＣＩＳユニット８８Ａに、原稿Ｍの搬送経路を挟んで対向する位置に、白色基準板１１６を設けてもよい。
【００５９】
一方、第１のＣＩＳユニット８８Ａは、読取ガラス７０の下方では、予め定めた範囲内を往復移動する。図２（Ｂ）の点線で示した第１のＣＩＳユニット８８Ａは、この往復移動におけるホームポジションである。
【００６０】
ここで、読取ガラス７０の上面に原稿Ｍが位置決めされ、自動原稿送り装置５０が閉止されている場合、往復移動の一方（往路又は復路）が、当該原稿Ｍから画像を読み取るための副走査となる（以下、「プラテン副走査」という）。なお、自動原稿送り装置５０の下面は白色基準板１１６と同等の機能を有する白色基準面が設けられている。
【００６１】
走査制御部９２は、自動読取副走査の際は、読取ガラス７４の下方における予め定めた位置にＣＩＳユニット８８を位置決めする制御を実行し、プラテン副走査の際は、読取ガラス７０の下方を予め定めた速度で往復移動させる制御を実行する。
【００６２】
本実施の形態では、図２（Ｂ）に示される如く、自動原稿送り装置５０から原稿搬送路６１に沿って搬送されて読取ガラス７４の上を通過（自動読取副走査）する原稿Ｍから画像を読み取ることを、「自動読み」という。
【００６３】
また、読取ガラス７０の下方を移動（プラテン副走査）しながら、読取ガラス７０に位置決めされた原稿Ｍから画像を読み取ることを、「プラテン読み」という。
【００６４】
以下に、第１のＣＩＳユニット８８Ａの内部構造について説明する。なお、第１のＣＩＳユニット８８Ａは、第２のＣＩＳ示されるユニット８８Ｂと同一の内部構造である。
【００６５】
従って、本実施の形態では、第１のＣＩＳユニット８８Ａの内部構造の詳細を説明し、第２のＣＩＳユニット８８Ｂの内部構造の説明は省略する。
【００６６】
第１のＣＩＳユニット８８Ａは、光源１００、ロッドレンズアレイ１０２、受光素子の一例である光電変換素子１０４Ａが取り付けられたセンサ基板１０４が設けられている。光電変換素子１０４Ａの受光面は、ロッドレンズアレイ１０２を介して前記読取ガラス７０及び読取ガラス７４に対向している。
【００６７】
光源１００は、原稿Ｍを照明するためのものであり、例えば、赤（Ｒ）、緑（Ｇ）、青（Ｂ）の各色の発光波長を持つ発光素子を備え、順次又は選択又は一斉点灯するように制御される。なお、光源１００から発光した光は、原稿Ｍの幅方向（図２（Ｂ）の奥行き方向）に配置された細長形状の導光体（図示省略）によって、前記読取ガラス７４の上方の読取領域を通過する原稿Ｍに照射されるようになっている。
【００６８】
ロッドレンズアレイ１０２は、正立等倍結像型の結像素子を導光体の長手方向と同方向に複数配列したものであり、原稿Ｍからの反射光をセンサ基板１０４上の光電変換素子１０４Ａに結像する。
【００６９】
この光電変換素子１０４Ａは、ロッドレンズアレイ１０２の長手方向に沿って複数配列され、長手方向の一方から他方にかけて順次原稿Ｍからの反射光がロッドレンズアレイ１０２を介して結像される（自動読取副走査及びプラテン副走査での共通の主走査）。
【００７０】
光電変換素子１０４Ａは、結像された反射光を電気信号に変換する。また、赤（Ｒ）、緑（Ｇ）、青（Ｂ）の各色の順次発光時の反射光をそれぞれ電気信号に変換することで、カラー画像の主走査が実行され、当該電気信号は、画像読取制御部９０へ送出される。
【００７１】
また、白黒画像の主走査の場合は、赤（Ｒ）、緑（Ｇ）、青（Ｂ）の各色が基本的に同時に発光して電気信号に変換することで、白黒画像の主走査が実行され、当該電気信号は、画像読取制御部９０へ送出される。なお、赤（Ｒ）、緑（Ｇ）、青（Ｂ）の各色は、ホワイトバランス等で相互に発光時間が調整される場合がある。
【００７２】
ホワイトバランスについて、第２のＣＩＳセンサユニット８８Ｂを例にとり説明する。
【００７３】
図４は、第２のＣＩＳセンサユニット８８Ｂと、白色基準板１１６との重なり具合を示す平面図である。
【００７４】
白色基準板１１６は、画像読取時の基準となる白色であり、この白色基準板１１６に光源１００からの赤（Ｒ）、緑（Ｇ）、青（Ｂ）の各色を同時に発光したときの光電変換素子１０４Ａによる電気信号が白色を示す電気信号となるように、各色の発光光量（駆動電流）のパルス幅が調整される。
【００７５】
なお、第１のＣＩＳセンサユニット８８Ａにおいても、原稿搬送経路を挟んで基準白色板１１６を配置することが好ましい。
【００７６】
図５は、画像読取制御部９０及び走査制御部９２により、第１のＣＩＳセンサユニット８８Ａ及び第２のＣＩＳセンサユニット８８Ｂを制御するための制御ブロックである。なお、第１のＣＩＳセンサユニット８８Ａ及び第２のＣＩＳセンサユニット８８Ｂは同一構造であるため、総称して、「ＣＩＳセンサユニット８８」という場合がある。
【００７７】
画像読取制御部９０には、走査制御部９２の原稿自動送りに必要なセンサを含む自動送り入力デバイス２００、モータ、クラッチを含む自動送り用の出力デバイス２０２、原稿の状態（位置、サイズ）を検出するためのセンサを含む原稿検知用入力デバイス２０４、読取ガラス７０の下方を走査するための走査用モータを含む走査用出力デバイス２０６が接続されている。また、画像読取制御部９０には、記憶装置として、ＲＯＭ２０８及び調整値記憶用不揮発性メモリ２１０が接続されている。
【００７８】
ＣＩＳセンサユニット８８は、センサ基板１０４上に、ＡＦＥ（アナログフロントエンド）回路２１２、光源駆動部２１４が設けられている。ＡＦＥ（アナログフロントエンド）回路２１２、光源駆動部２１４は、それぞれＩＣチップ化されて取り付けられる場合がある。
【００７９】
ＡＦＥ２１２には、前記画像読取制御部９０から、画像読取に必要な命令信号（デジタル情報）が入力されるようになっている。また、ＡＦＥ２１２には、前記画像読取制御部９０から、光源１００を副走査方向の出力タイミングである水平同期信号が入力されるようになっている。
【００８０】
ＡＦＥ２１２は、光源１００の駆動電流を制御するための点灯制御部２１８を備えている。ＡＦＥ２１２では、前記画像読取制御部９０から受け付けた命令信号（デジタル信号）に基づき、点灯制御部２１８で制御する光源１００の駆動電流信号（アナログ信号）に変換する。
【００８１】
ここで、点灯制御部２１８には、点灯期間設定部２２０が設けられており、前述したホワイトバランス調整によって設定された各色の点灯期間（パルス幅）が設定されることになる。
【００８２】
点灯制御部２１８の点灯期間設定部２２０は、光源駆動部２１４に接続されている。点灯制御部２１８の点灯期間設定部２２０では、水平同期信号に基づき、前記光源１００の駆動電流信号（赤（Ｒ）、緑（Ｇ）、青（Ｂ）の各色の点灯制御信号）を、信号線２２６により、光源駆動部２１４へ出力する。光源駆動部２１４では、出力部２２２を介して、光源１００の各発光素子を、それぞれの色に対応する駆動電流信号に基づき点灯させる。
【００８３】
ここで、光源駆動部２１４には、電流値設定部２２４が設けられており、前記信号線２２６から分岐された分岐線２２６Ａが接続されている。
【００８４】
このため、電流値設定部２２４には、出力部２２２へ出力される点灯制御信号が入力されるようになっている。
【００８５】
また、電流値設定部２２４には、画像読取制御部９０から電流値設定信号が入力されるようになっている。電流値設定部２２４は、出力部２２２に接続されている。
【００８６】
電流値設定部２２４では、例えば、初期設定時（装置出荷時、設置時、定期又は不定期のメンテナンス実行時等）に前記画像読取制御部９０から入力される電流値設定信号に基づいて、図６に示される如く、駆動電流設定値（最大電流に対する出力電流の比率）が設定され、当該設定された駆動電流の比率情報（電流設定値）を出力部２２２へ送出することで、出力部２２２から出力される駆動電流信号の電流値が調整されるようになっている。
【００８７】
図６（Ａ）に示される如く、本実施の形態では、ＲＧＢの各色の点灯制御信号の組み合わせに基づき８通りの電流設定値を設定し得るようになっている。
【００８８】
すなわち、３色の発光素子がオン又はオフとなるときの組み合わせは、２３（＝８通り）である。
【００８９】
画像読取制御部９０では、設定すべき電流値（電流設定値）を認識しており、当該認識している電流設定値に基づいて、点灯期間設定部２２０から信号線２２６（分岐線２２６Ａ）を介して、点灯制御信号を送出する。画像読取制御部９０では、当該点灯制御信号の送出に同期させて、電流値設定信号を電流値設定部２２４へ送出する。この結果、電流値設定部２２４が電流値設定信号を受け付けたときの各色のオン又はオフの組み合わせが決定し、図６（Ｂ）に示す各色のオン又はオフの組み合わせのそれぞれに予め設定された電流値比率を読み出し、出力部２２２へ送出する。これにより、出力部２２２では、電流設定値に基づいて、電流値が制御され点灯制御信号が光源部１００へ送出されることになる。
【００９０】
また、ＡＦＥ２１２には、光電変換素子１０４Ａからの電気信号を受け付ける信号処理部２２８が設けられている。信号処理部２２８は、受け付けた電気信号に対して、ＡＤ変換機能、オフセット制御、ゲイン制御に基づく信号処理が実行され、信号処理後の画像信号（デジタル信号）が画像読取制御部９０へ送出されるようになっている。
【００９１】
図３は、画像読取制御部９０における画像処理制御を機能的に示したブロック図である。なお、このブロック図は、画像読取制御部９０のハード構成を限定するものではない。
【００９２】
ＣＩＳユニット８８の光電変換素子１０４Ａは、受付部１５０に接続されており、光電変換信号を、受付部１５０へ送出する。
【００９３】
受付部１５０では、受け付けた光電変換信号をシェーディング処理部１５２へ送出する。
【００９４】
なお、受付部１５０で受け付けた光電変換信号の内、原稿読取範囲外の画像情報が主走査毎に設定電流値監視部１５１へ送出されるようになっている。詳細は後述するが、設定電流値監視部１５１は、光源部１００に設定された電流設定値の初期設定状態が維持されているか否かを監視する役目を有する。
【００９５】
シェーディング処理部１５２には、予めＣＩＳユニット８８において主走査方向に配列された光電変換素子１０４Ａの出力信号のばらつきを補正するための補正テーブルを記憶している。すなわち、例えば、主走査方向に一定の濃度の原稿を読み取ったときの出力の差を補正して、一定値にする。
【００９６】
シェーディング処理部１５２は、色変換部１６６に接続されている。
【００９７】
色変換処理部１６６では、入力画像情報がＲＧＢであるのに対し、例えば、画像形成部１２での画像形成のための画像情報であるＣＭＹＫに変換する。この色変換の際、例えば、Ｌ＊ａ＊ｂ＊色空間を介してＣＭＹＫに色変換してもよい（ＲＧＢ→Ｌ＊ａ＊ｂ＊→ＣＭＹＫ）。なお、色変換は、ＣＭＹＫに限らず、指定された色空間に変換してもよい。
【００９８】
色変換処理部１６６は、画像モード依存フィルタ処理部１６８が接続されている。この画像モード依存フィルタ処理部１６８は、画像モード依存で実行されるフィルタ処理である。例えば、原稿画像が文字モード、写真モード、印刷モード、混在モードに分類され、それぞれの画像に適したフィルタ処理が実行される。この第２のフィルタ処理部１６８では、例えば、非線形フィルタが用いられ、エッジ部分を損なうことなしに雑音や網点成分を除去する。より具体的には、非線形平滑用フィルタと非線形エッジ強調フィルタを適用する。非線形平滑用フィルタではエッジ部を保存しつつ雑音や網点成分を除去する。また、非線形エッジ強調用フィルタでは、雑音を強調せずエッジ部分のみ強調する。
【００９９】
また、色変換処理部１６６は、濃度調整部１７０に接続されている。濃度調整部１７０では、例えば、フィルタ処理、色変換処理が終了した画像情報に対して、最終的に全画素の積算平均濃度が予め定めたグレースケール（例えば、中間値）になるように全ての画素を一律に補正する。なお、濃度調整部１７０の調整は、前記例に限定されるものではない。
【０１００】
濃度調整部１７０で濃度調整された画像情報は、出力部１７２を介して、例えば、画像形成部１２へ送出される。或いは、画像読取を指示したＰＣや、サーバー等へ転送するようにしてもよい。
【０１０１】
ここで、本実施の形態では、画像読取制御部９０において、光源１００から出力する光量を特定するようになっている。すなわち、光源１００から出力する光量を、光電変換素子１０４Ａのダイナミックレンジ（読取可能範囲）に合わせるために、駆動電流値を調整する必要がある。このため、本実施の形態では、最大出力に対する電流値比率として、１００％、８７．５％、７５％、６２．５％、５０％、３７．５％、２５％、及び１２．５％の８種類の内、１つを特定するようになっている。
【０１０２】
この８種類は、光源１００における３色（ＲＧＢ）の発光素子をそれぞれ独立してオン又はオフしたときの組み合わせパターン数（２３＝８通り）に対応している（図７（Ａ）参照）。
【０１０３】
画像読取制御部９０において特定した駆動電流値（以下、「電流値設定信号」という）は、初期設定として、ＣＩＳセンサユニット８８の光源駆動部２１４に設けられた電流値設定部２２４に送出されるようになっている。
【０１０４】
電流値設定部２２４には、前記ＡＦＥ２１２の点灯期間設定部２２０と光源駆動部２１４との間に介在され、各色の点灯制御信号を送受信するための点灯制御信号線２２６の分岐線２２６Ａが接続されている。
【０１０５】
このため、電流値設定部２２４には、光源１００へ送出される点灯制御信号が入力されることになる。
【０１０６】
ところで、定常状態では、電流値設定信号は、初期設定後に出力されることはなく、初期設定時の電流設定値が維持される。なお、初期設定とは、装置出荷前、設置時、設置後の定期又は不定期のメンテナンスで実行される設定を含む。また、メンテナンスは、ＣＩＳセンサユニット８８及びその周辺の一部又は全部の部品交換を含む。
【０１０７】
しかし、装置内で静電気が発生し、ＣＩＳセンサユニット８８に当該静電気の影響が及ぶと、画像読取中においても、電流値設定信号と同等の信号（以下、「誤信号」又は「偽情報」という）が発生し、この誤信号が画像読取部９０と電流値設定部２２４とを接続する信号線に重畳し、電流値設定部２２４に入力される場合がある。
【０１０８】
このとき、電流値設定部２２４は、真の電流値設定信号であるのか、誤信号であるのかの判別ができない。このため、入力された時点のＲＧＢの各色のオン又はオフの組み合わせ（図７（Ａ）参照）で電流設定が実行され、出力部２２２へ出力されることになる。
【０１０９】
例えば、図７（Ｂ）に示される如く、画像読取途中で光量が１００％から５０％に低下すると、光電変化素子１０４Ａによる読取時の検出信号が、濃度が低い方にシフトし、濃度異常が発生する。
【０１１０】
そこで、本実施の形態では、ＣＩＳセンサユニット８８（第１のＣＩＳセンサユニット８８Ａ及び第２のＣＩＳセンサユニット８８Ｂ）による画像読取時の主走査毎に、原稿Ｍの最大読取幅の範囲外で、白色基準板１１６からの反射光を読み取った画像情報ＤＲと、予め記憶しておいた初期設定時に白色基準板１１６からの反射光を読み取った基準画像情報ＤＤとの比率（｛ＤＲ／ＤＤ｝×１００％）に基づき、電流設定値が誤信号によって変更されたか否か可能性を判断するようにした。
【０１１１】
図８は、画像読取制御部９０で設定し得る設定電流値（行方向）と、電流値設定部２２４で変動し得る読取電流値（列方向）との関係を示す図表（以下、「比率表」という）である。理論的には、８通りの設定電流値は、誤信号によって８通りの電流値に変動することがある。
【０１１２】
なお、設定電流値及び読取電流値は、画像読取制御部９０が光電変換素子１０４Ａから受け付ける画像情報に相当する。設定電流値は、初期設定後に白色基準板１１６の反射光を読み取った画像情報であり、読取電流値は通常の読取走査（主走査毎）で白色基準板１１６から読み取った画像情報である。
【０１１３】
それぞれの変動時の比率（変動後の電流値／設定電流値）を演算すると、図８に示される如く、８×８（＝６４）通りの読取画像情報の比率が予測されることになる。なお、電流値設定信号の異常のみを考慮すれば、カラー画像の読取時は、光源部はＲＧＢ各色が順次点灯であるため、Ｒ色又はＧ色又はＢ色の単独点灯、及び全消灯の点灯パターンとなるが、点灯制御信号が静電気等のノイズの影響を受ける可能性もあるため、ここでは、考え得る全の可能性を示している。
【０１１４】
図８（Ａ）では、比率表の各比率にそれぞれ範囲（±５％）を定めている（以下、「比率範囲」という）。例えば、初期設定の電流値が１００％のときの読取電流値との電流比率は、以下の８通りとなる。
【０１１５】
（電流比率１００％）・・・・・・・・・９５〜１０５％
（電流比率８７．５％）・・・８３．１３〜９１．８８％
（電流比率７５％）・・・・・７１．２５〜７８．７５％
（電流比率６２．５％）・・・５９．３８〜６５．６３％
（電流比率５０％）・・・・・・・４７．５〜５２．５％
（電流比率３７．５％）・・・３５．６３〜３９．３８％
（電流比率２５％）・・・・・２３．７５〜２６．２５％
（電流比率１２．５％）・・・１１．８６〜１３．１３％
ここで、｛ＤＲ／ＤＤ｝×１００％の演算結果が、図８（Ａ）に基づき（比率範囲を反映）、主走査毎に本来の比率（１００％）にならず、かつ何れかの比率範囲に該当した場合は、誤信号によって電流値が変動したと判断して、次の主走査までの間に、点灯期間設定部２２０から電流値設定部２２４へ組み合わせ設定のための各色（ＲＧＢ）の点灯制御信号を送出するとともに、画像読取制御部９０から電流値設定部２２４に対して真の電流値設定信号を送信するようにした。
【０１１６】
この結果、電流値設定部２２４では、再度電流設定が実行され、真の電流値設定信号に基づく設定電流情報が出力部２２２へ送出される。
【０１１７】
以下に本実施の形態の作用を説明する。
【０１１８】
（画像読取制御ルーチン）
まず、通常の画像読取制御について説明する。
【０１１９】
図９は、本実施の形態に係る画像読取制御ルーチンを示すフローチャートである。
【０１２０】
ステップ２５０では、原稿Ｍが装填されたか否かが判断される。この判断は、例えば、用紙サイズセンサ等からの信号で、自動原稿送り装置５０に装填されたのか、読取ガラス７０の上面に装填されたのかを判別することが可能である。
【０１２１】
ステップ２５０で否定判定された場合はこのルーチンは終了し、肯定判定された場合は、ステップ２６０へ移行する。
【０１２２】
ステップ２６０では、読取開始指示があったか否かが判断され、否定判定されると、ステップ２６２へ移行して、中止指示があったか否かが判断される。このステップ２６２で否定判定されると、ステップ２６０へ戻り、ステップ２６０又はステップ２６２の何れかで肯定判定されるまで、ステップ２６０及びステップ２６２を繰り返す。
【０１２３】
ここで、ステップ２６２で肯定判定されると、原稿読み取りを中止して、このルーチンは終了する。また、ステップ２６０で肯定判定されると、ステップ２６４へ移行して、読取モード（自動読み又はプラテン読み）に基づく、ＣＩＳユニット８８による原稿画像の読取制御を実行する。
【０１２４】
自動読みの場合の読取制御は、ＣＩＳユニット８８を読取ガラス７４の下方に固定配置し、原稿搬送路６１に沿って搬送される原稿Ｍを読み取る。
【０１２５】
一方、プラテン読みの読取制御は、ＣＩＳユニット８８を読取ガラス７０の下方のホームポジションに移動し、このホームポジションから往復移動することで、読取ガラス７０の上面に固定配置された原稿Ｍを読み取る。
【０１２６】
次のステップ２６６では、読み取った画像情報を受け付け、次いでステップ２７０へ移行してシェーディング処理が実行される。
【０１２７】
次のステップ２７６では色変換処理が実行され、次いでステップ２７８へ移行して、画像モード（文字、写真、印刷、混在）依存のフィルタ処理が実行され、ステップ２８０へ移行する。例えば、色変換では、送出先が画像形成部１２であれば、ＲＧＢ→Ｌ＊ａ＊ｂ＊→ＣＭＹＫの順に色変換される。
【０１２８】
ステップ２８０では、濃度調整が実行されてステップ２８２へ移行し、例えば、画像形成部１２へ出力される。
【０１２９】
ここで、本実施の形態では、図９のステップ２６４による画像読取制御において、ＣＩＳセンサユニット８８の主走査（１ライン毎の読み取り）毎に、原稿Ｍの最大読取幅の範囲外（図４参照）で、白色基準板１１６からの反射光を読み取った電流値（画像情報ＤＲ）と、予め記憶しておいた初期設定時に白色基準板１１６からの反射光を読み取ったときの電流値（基準画像情報ＤＤ）との比率（｛ＤＲ／ＤＤ｝×１００％）に基づき、電流設定値が誤信号によって変更されたか否か可能性を判断するようにした。
【０１３０】
図１０は、図９のステップ２６４における画像読取制御時に、主走査毎に割り込まれて実行される、電流設定値正誤判別ルーチンを示す制御フローチャートである。
【０１３１】
ステップ２５０では、読取ラインがＲ色ラインか否かが判断される。ステップ２５０で肯定判定された場合は、Ｒ色での電流設定値正誤判別を実行するべく、ステップ２５４Ｒへ移行する。
【０１３２】
ステップ２５０で否定判定された場合は、ステップ２５２へ移行し、読取ラインがＧ色ラインか否かが判断される。ステップ２５２で肯定判定された場合は、Ｇ色での電流設定値正誤判別を実行するべく、ステップ２５４Ｇへ移行する。
【０１３３】
ステップ２５２で否定された場合は、Ｂ色での電流設定値正誤判別を実行するべく、ステップ２５４Ｂへ移行する。
【０１３４】
（Ｒ色での電流設定値正誤判別）
ステップ２５４Ｒでは、１ライン分の読取画像情報から、指定領域（図４に示す原稿Ｍの最大読取幅の範囲外であり、特定の時期に相当する領域）のＲ色の読取画像情報ＤＲ（Ｒ）を抽出する。
【０１３５】
次のステップ２５６Ｒでは、画像読取制御部９０に予め記憶されている、Ｒ色の基準画像情報ＤＤ（Ｒ）を読み出し、ステップ２５８Ｒへ移行する。
【０１３６】
ステップ２５８Ｒでは、Ｒ色の基準画像情報ＤＤ（Ｒ）に対するＲ色の読取画像情報ＤＲ（Ｒ）の比率（ここでは、百分率「％」を用いる）を演算する（｛ＤＲ（Ｒ）／ＤＤ（Ｒ｝×１００％）。
【０１３７】
次のステップ２６０Ｒでは、図８に示す比率表（±５％の比率範囲を反映）を読み出し、次いでステップ２６２Ｒへ移行して、ステップ２５８Ｒで演算した比率が、比率表の中の比率範囲に入るか否か、すなわち、誤信号の可能性があるか否かを判断する。
【０１３８】
このステップ２６２Ｒで否定判定された場合は、電流値変動はないと判断し、このルーチンは終了する。なお、電流値変動ではないが、｛ＤＲ（Ｒ）／ＤＤ（Ｒ｝×１００％の演算結果が１００％にならない場合は、他の理由による比率変動も考えられるため、別途、メンテンナス要求をするようにしてもよい。
【０１３９】
また、ステップ２６２Ｒで肯定判定された場合は、真の電流値設定信号とは別に、誤信号が発生した可能性があると判断し、ステップ２６４Ｒへ移行する。
【０１４０】
ステップ２６４Ｒでは、誤信号の発生の可能性の確度を高めるべく、Ｒ色以外の直前の色（Ｇ色、Ｂ色）の画像情報（ＤＲ（Ｇ）、ＤＲ（Ｂ））を読み出し、ステップ２６６Ｒで各色間の比を演算し、ステップ２６８Ｒへ移行する。
【０１４１】
ステップ２６８Ｒでは、各色間の比が近似しているか否かが判断され、否定判定された場合は、発光素子の欠損（不点灯）等の他要因が考えられると判断し、このルーチンは終了する。この場合、別途、メンテナンス要求をするようにしてもよい。
【０１４２】
また、ステップ２６８Ｒで肯定判定された場合は、信号の発生の可能性があると最終判断し、ステップ２７０Ｒへ移行して、電流値設定（再設定）の実行を指示して、このルーチンは終了する。
【０１４３】
（Ｇ色での電流設定値正誤判別）
ステップ２５４Ｇでは、１ライン分の読取画像情報から、指定領域（図４に示す原稿Ｍの最大読取幅の範囲外であり、特定の時期に相当する領域）のＧ色の読取画像情報ＤＲ（Ｇ）を抽出する。
【０１４４】
次のステップ２５６Ｇでは、画像読取制御部９０に予め記憶されている、Ｇ色の基準画像情報ＤＤ（Ｇ）を読み出し、ステップ２５８Ｇへ移行する。
【０１４５】
ステップ２５８Ｇでは、Ｇ色の基準画像情報ＤＤ（Ｇ）に対するＧ色の読取画像情報ＤＲ（Ｇ）の比率（ここでは、百分率「％」を用いる）を演算する（｛ＤＲ（Ｇ）／ＤＤ（Ｇ）｝×１００％）。
【０１４６】
次のステップ２６０Ｇでは、図８に示す比率表（±５％の比率範囲を反映）を読み出し、次いでステップ２６２Ｇへ移行して、ステップ２５８Ｇで演算した比率が、比率表の中の比率範囲に入るか否か、すなわち、誤信号の可能性があるか否かを判断する。
【０１４７】
このステップ２６２Ｇで否定判定された場合は、電流値変動はないと判断し、このルーチンは終了する。なお、電流値変動ではないが、｛ＤＲ（Ｇ）／ＤＤ（Ｇ）｝×１００％の演算結果が１００％にならない場合は、他の理由による比率変動も考えられるため、別途、メンテンナス要求をするようにしてもよい。
【０１４８】
また、ステップ２６２Ｇで肯定判定された場合は、真の電流値設定信号とは別に、誤信号が発生した可能性があると判断し、ステップ２６４Ｇへ移行する。
【０１４９】
ステップ２６４Ｇでは、誤信号の発生の可能性の確度を高めるべく、Ｇ色以外の直前の色（Ｂ色、Ｒ色）の画像情報（ＤＲ（Ｂ）、ＤＲ（Ｒ））を読み出し、ステップ２６６Ｇで各色間の比を演算し、ステップ２６８Ｇへ移行する。
【０１５０】
ステップ２６８Ｇでは、各色間の比が近似しているか否かが判断され、否定判定された場合は、発光素子の欠損（不点灯）等の他要因が考えられると判断し、このルーチンは終了する。この場合、別途、メンテナンス要求をするようにしてもよい。
【０１５１】
また、ステップ２６８Ｇで肯定判定された場合は、信号の発生の可能性があると最終判断し、ステップ２７０Ｇへ移行して、電流値設定（再設定）の実行を指示して、このルーチンは終了する。
【０１５２】
（Ｂ色での電流設定値正誤判別）
ステップ２５４Ｂでは、１ライン分の読取画像情報から、指定領域（図４に示す原稿Ｍの最大読取幅の範囲外であり、特定の時期に相当する領域）のＢ色の読取画像情報ＤＲ（Ｂ）を抽出する。
【０１５３】
次のステップ２５６Ｂでは、画像読取制御部９０に予め記憶されている、Ｂ色の基準画像情報ＤＤ（Ｂ）を読み出し、ステップ２５８Ｂへ移行する。
【０１５４】
ステップ２５８Ｂでは、Ｇ色の基準画像情報ＤＤ（Ｂ）に対するＧ色の読取画像情報ＤＲ（Ｂ）の比率（ここでは、百分率「％」を用いる）を演算する（｛ＤＲ（Ｂ）／ＤＤ（Ｂ）｝×１００％）。
【０１５５】
次のステップ２６０Ｂでは、図８に示す比率表（±５％の比率範囲を反映）を読み出し、次いでステップ２６２Ｂへ移行して、ステップ２５８Ｂで演算した比率が、比率表の中の比率範囲に入るか否か、すなわち、誤信号の可能性があるか否かを判断する。
【０１５６】
このステップ２６２Ｂで否定判定された場合は、電流値変動はないと判断し、このルーチンは終了する。なお、電流値変動ではないが、｛ＤＲ（Ｂ）／ＤＤ（Ｂ）｝×１００％の演算結果が１００％にならない場合は、他の理由による比率変動も考えられるため、別途、メンテンナス要求をするようにしてもよい。
【０１５７】
また、ステップ２６２Ｂで肯定判定された場合は、真の電流値設定信号とは別に、誤信号が発生した可能性があると判断し、ステップ２６４Ｂへ移行する。
【０１５８】
ステップ２６４Ｂでは、誤信号の発生の可能性の確度を高めるべく、Ｂ色以外の直前の色（Ｒ色、Ｇ色）の画像情報（ＤＲ（Ｒ）、ＤＲ（Ｇ））を読み出し、ステップ２６６Ｂで各色間の比を演算し、ステップ２６８Ｂへ移行する。
【０１５９】
ステップ２６８Ｂでは、各色間の比が近似しているか否かが判断され、否定判定された場合は、発光素子の欠損（不点灯）等の他要因が考えられると判断し、このルーチンは終了する。この場合、別途、メンテナンス要求をするようにしてもよい。
【０１６０】
また、ステップ２６８Ｂで肯定判定された場合は、信号の発生の可能性があると最終判断し、ステップ２７０Ｂへ移行して、電流値設定（再設定）の実行を指示して、このルーチンは終了する。
【実施例】
【０１６１】
本実施の形態では、カラー画像の読み取り、及び白黒画像の読み取りを問わず、図８に示す全ての比率と照合するようにした。
【０１６２】
しかし、画像読取制御部９０において、設定電流値が既知であれば、当該設定電流値の行に属する比率を抽出すればよい。また、カラー画像の読み取りの場合は、基本的にＲＧＢは同時点灯しないため、オン又はオフの組み合わせは、ＲＧＢ何れかの色がオン、又は全てがオフに限定可能である。白黒の場合は、ＲＧＢ各色にホワイトバランス補正等により設定されるパルス幅によって、オン又はオフの組み合わせが限定される場合がある。
【０１６３】
そこで、以下の実施例では、予測しうる比率を絞り込んだ状態での設定電流値判定の流れを説明する。
【０１６４】
（カラー読取／白黒読取時の電流値設定）
光源１００の各色の発光素子の電流値は、画像読取直前に実施される。
【０１６５】
まず、カラー画像読取時で設定すべき電流値となるように、画像読取制御部９０が図６（Ｂ）に示すテーブルを基に、ＲＧＢの各色の点灯制御信号の論理設定を点灯期間期間設定部２２０にセットする。これにより、点灯期間設定部２２０から各色の点灯制御信号が、所望の論理状態で出力される。
【０１６６】
次に、画像読取制御部９０では電流値設定信号をオン（Ｌ信号→Ｈ信号）する（図６（Ａ）参照）。この瞬間、光源駆動２１４では、図６（Ｂ）のテーブルに基づき、８通りの中から１つが抽出されて、電流設定がなされる。
【０１６７】
本実施例のカラー画像読取では１００％の電流設定がなされたものとする。
【０１６８】
また、本実施例の白黒画像読取では３７．５％の電流設定がなされたものとする。
【０１６９】
その後、各色の点灯制御信号をオフ（Ｈ信号→Ｌ信号）することで、通常の点灯制御に移行する。ここで設定された電流値は、各色共通の電流値となる。
【０１７０】
（カラー画像読取時の実施例）
カラー画像の読取時、図７（Ａ）に示される如く、水平同期信号に基づき、ＲＧＢ各色の発光素子を順次点灯させ、光電変換素子１０４Ａで画像を読み取り、ＡＦＥ２１２の信号処理部２２８でＡＤ変換等の信号処理を施した後画像読取制御部９０へ送出する。
【０１７１】
各色の発光素子の１ラインの中の点灯期間（パルス幅）は、事前（例えば、電源オン時の調整処理（ホワイトバランス等）により決定されており、その情報は、調整記憶用不揮発性メモリ２１０に記憶されている。
【０１７２】
カラー画像の読取時は、この調整記憶用不揮発性メモリ２１０から各色の点灯期間設定値（パルス幅）を読み出し、ＡＦＥ２１２の点灯期間設定部２２０に設定することで、ＡＦＥ２１２から各色の点灯制御信号が出力部２２２へ出力される。
【０１７３】
通常カラー画像の読取時に電流値設定信号を変えることはない。しかし、静電気等の外部ノイズの影響で電流値設定信号に電圧が誘起され、誤信号（図７（Ａ）の点線参照）が発生して偽情報となる場合がある。
【０１７４】
カラー画像の読み取りの場合、図７（Ａ）に示される如く、偽情報に基づく電流値設定信号として、４パターンの電流設定を引き起こす可能性がある。この偽情報に基づく電流設定が、本来設定されている電流値と異なる場合、図７（Ｂ）に示される如く、変更前後で光電変換素子による検出電流値が変動し、濃度に差が発生する。
【０１７５】
例えば、本来設定される電流値が１００％で、Ｒ色の点灯制御信号がＨ、Ｇ色の点灯制御信号がＬ、Ｂ色の点灯制御信号Ｌのときに誤信号が出力されると、この偽情報により、設定電流値が５０％に切り替わり、本来の濃度よりも暗くなる濃度異常が発生する。
【０１７６】
そこで、カラー画像の読み取りにおいて、図４に示される如く、白色基準板１１６の指定領域（図４に示す原稿Ｍの最大読取幅の範囲外であり、特定の時期に相当する領域）の読取情報を各ライン毎に抽出する。
【０１７７】
カラー画像の読み取りの場合は、先頭画素側、後方画素側の何れか一方の３色分を抽出する。
【０１７８】
次に、電流設定値直後の各色の光電変換素子で読み取った情報を各色の基準画像情報（ＤＤ）とし、ライン毎の抽出した読取画像情報（ＤＲ）との比率（ＤＲ／ＤＤ）を演算する。
【０１７９】
この演算結果が、図１１に示すテーブルの範囲内の何れに該当するかを判定する。
【０１８０】
この図１１に示すテーブルは、前述したように、カラー画像の読取時の電流設定値と、カラー画像の読取中に電流値設定信号に偽情報が重畳した際に発生し得る４パターンの電流設定値の各比率を中心に上下ばらつき（±５％）を加味した範囲である。
【０１８１】
図１１では、カラー画像の読取時の電流設定値が１００％であり、偽情報が重畳した電流設定値が、５０％、７５％、８７．５％、１００％となることから、これらの比率に±５％のばらつきを加味したものである。なお、比率１００％の場合は、濃度変化等の実害がない。
【０１８２】
各色により演算結果（比率）が、図１１の「範囲内」とした領域に入っているときは、誤信号の発生で、電流値が変更された可能性が高いと判断し、直ちに本来の電流値である１００％の電流設定を実施し（再設定し）、画像読取を継続する。
【０１８３】
また、電流値設定信号に偽情報が重畳されたと判断する確度を高めるために、各色の電流設定値が共通であることを条件として、ＲＧＢ各色の画像情報間の比を算出し、その比が予め近似するか否かを判断してもよい。
【０１８４】
（白黒画像読取時の実施例）
白黒画像の読取時、図１２（Ａ）に示される如く、水平同期信号に基づき、ＲＧＢ各色の発光素子を同時点灯させ、光電変換素子１０４Ａで画像を読み取り、ＡＦＥ２１２の信号処理部２２８でＡＤ変換等の信号処理を施した後画像読取制御部９０へ送出する。
【０１８５】
各色の発光素子の１ラインの中の点灯期間（パルス幅）は、事前（例えば、電源オン時の調整処理（ホワイトバランス等）により決定されており、その情報は、調整記憶用不揮発性メモリ２１０に記憶されている。
【０１８６】
白黒画像の読取時は、この調整記憶用不揮発性メモリ２１０から各色の点灯期間設定値（パルス幅）を読み出し、ＡＦＥ２１２の点灯期間設定部２２０に設定することで、ＡＦＥ２１２から各色の点灯制御信号が出力部２２２へ出力される。
【０１８７】
通常白黒画像の読取時に電流値設定信号を変えることはない。しかし、静電気等の外部ノイズの影響で電流値設定信号に電圧が誘起され、誤信号（図１２（Ａ）の点線参照）が発生して偽情報となる場合がある。
【０１８８】
白黒画像の読み取りの場合、各色の点灯制御信号のパルス幅設定に依存するが、例えば、図１２（Ａ）に示される如く、偽情報に基づく電流値設定信号として、４パターンの電流設定を引き起こす可能性がある。この偽情報に基づく電流設定が、本来設定されている電流値と異なる場合、図１２（Ｂ）に示される如く、変更前後で光電変換素子による検出電流値が変動し、濃度に差が発生する。
【０１８９】
例えば、本来設定される電流値が３７．５％で、Ｒ色の点灯制御信号がＬ、Ｇ色の点灯制御信号がＬ、Ｂ色の点灯制御信号Ｈのときに誤信号が出力されると、この偽情報により、設定電流値が８７．５％に切り替わり、本来の濃度よりも明るくなる濃度異常が発生する。
【０１９０】
そこで、白黒画像の読み取りにおいて、図４に示される如く、白色基準板１１６の指定領域（図４に示す原稿Ｍの最大読取幅の範囲外であり、特定の時期に相当する領域）の読取情報を各ライン毎に抽出する。
【０１９１】
白黒画像の読み取りの場合は、先頭画素側、後方画素側のそれぞれ１箇所ずつ（２箇所）を抽出する。
【０１９２】
次に、電流設定値直後の先頭画素側、後方画素側のそれぞれ１箇所ずつ（２箇所）の光電変換素子で読み取った情報を基準画像情報（ＤＤ）とし、ライン毎の抽出した読取画像情報（ＤＲ）との比率（ＤＲ／ＤＤ）を２箇所分演算する。
【０１９３】
この２箇所分の演算結果が、それぞれ図１３に示すテーブルの範囲内の何れに該当するかを判定する。
【０１９４】
この図１３に示すテーブルは、前述したように、白黒画像の読取時の電流設定値と、白黒画像の読取中に電流値設定信号に偽情報が重畳した際に発生し得る４パターンの電流設定値の各比率を中心に上下ばらつき（±５％）を加味した範囲である。
【０１９５】
図１３では、白黒画像の読取時の電流設定値が３７．５％であり、偽情報が重畳した電流設定値が、１２．５％、３７．５％、８７．５％、１００％となることから、これらの比率に±５％のばらつきを加味したものである。なお、比率１００％の場合は、濃度変化等の実害がない。
【０１９６】
各色により演算結果（比率）が、図１３の「範囲内」とした領域に入っているときは、誤信号の発生で、電流値が変更された可能性が高いと判断し、直ちに本来の電流値である１００％の電流設定を実施し（再設定し）、画像読取を継続する。
【０１９７】
また、電流値設定信号に偽情報が重畳されたと判断する確度を高めるために、電流設定値に主走査方向の出力分布形状の変化がないことを条件として、２箇所の基準画像情報の比を算出し、その比が予め近似するか否かを判断してもよい。
【０１９８】
なお、本実施の形態では、第２のＣＩＳセンサユニット８８Ｂが白色基準板１１６を読み取る例を主体として説明したが、第１のＣＩＳセンサユニット８８Ａが白色基準板１１６から読み取った画像情報、及び、第１のＣＩＳセンサユニット８８Ａが自動原稿送り装置５０の読取ガラス７０への密着面（白色基準面）から読み取った画像情報の基づく、設定電流の正誤判別であってもよい。
【０１９９】
また、本実施の形態では、図５に示すＡＦＥ３２１２及び光源駆動部２１４は、それぞれＩＣチップ化（ＡＳＩＣ等）して基板上に装着することが一般的である。この場合、図５では、点灯期間設定部２２０をＡＦＥ２１２に設けているが、光源駆動部２１４に、点灯期間設定部２２０を設けて、光源駆動部２１４をＩＣチップ化するようにしてもよい。
【符号の説明】
【０２００】
Ｍ    原稿
１０    画像処理装置
１０Ａ    上部筐体
１０Ｂ    下部筐体
１２    画像形成部
１４    画像読取部
１６    ファクシミリ通信制御回路
１８    メインコントローラ
２４    トレイユニット
２６    ユーザーインターフェイス（ＵＩ）
２８    タッチパネル部
３０    ハードキー配列部
５０    自動原稿送り装置
６０    原稿台
６１    原稿搬送路
６２    排出台
６３    用紙送出部
６４    送出ローラ対
６５    案内板
６６    位置合わせローラ対
６８    アウトローラ対
６９    排出ローラ対
７０    読取ガラス
７４    読取ガラス
８８    ＣＩＳセンサユニット
８８Ａ  第１のＣＩＳセンサユニット
８８Ｂ  第２のＣＩＳセンサユニット
９０    画像読取制御部
９２    走査制御部
１００    光源
１０２    ロッドレンズアレイ
１０４    センサ基板
１０４Ａ    光電変換素子
１０９    弾性フィルム
１１０    基準ウィンドウ
１１１    パッド
１１５    ジャンプガイド板
１１６    白色基準板
１５０    受付部
１５１    設定電流値監視部
１５２    シェーディング処理部
１６６    色変換処理部
１６８    フィルタ処理部
１７０    濃度調整部
１７２    出力部
２００    入力デバイス
２０２    出力デバイス
２０４    原稿検知用入力デバイス
２０６    走査用出力デバイス
２０８    ＲＯＭ
２１０    調整値記憶用不揮発性メモリ
２１２    ＡＦＥ（アナログフロントエンド）回路
２１４    光源駆動部
２１８    点灯制御部
２２０    点灯期間設定部
２２２    出力部
２２４    電流値設定部
２２６    信号線
２２６Ａ    分岐線
【図１】
2017034585.tif 000003
【図３】
2017034585.tif 000004
【図４】
2017034585.tif 000005
【図５】
2017034585.tif 000006
【図６】
2017034585.tif 000007
【図９】
2017034585.tif 000008
【図１０】
2017034585.tif 000009
【図１１】
2017034585.tif 000010
【図１３】
2017034585.tif 000011
【図２】
2017034585.tif 000012
【図７】
2017034585.tif 000013
【図８】
2017034585.tif 000014
【図１２】
2017034585.tif 000015